(57)【要約】      （修正有）【課題】開閉部を開けたままにしても倒れることのない、安定したポーチ、ペンケース等の小型かばんを提供する。【解決手段】ポーチ、ペンケース等の小型かばん１であって、底部２及び前後側部３，４が１枚の材料５から形成されると共に、開閉部６が上端部のみならず、左右側部７，８にも延びているタイプのものである。前記１枚の材料５は少なくとも１枚の芯材を有する。前記芯材は、発泡プラスチックからなり、底部及び両側部の境目に折り目を付けたものであり、底部の幅は少なくとも３ｃｍある。【選択図】図２
0003153153.tif 000002
【実用新案登録請求の範囲】
【請求項１】
ポーチ、ペンケース等の小型かばん（１）であって、底部（２）及び前後側部（３，４）が１枚の材料（５）から形成されると共に、開閉部（６）が上端部のみならず、左右側部（７，８）にも延びているタイプのものにおいて、
前記１枚の材料（５）は少なくとも１層の芯材（５５）を有し、
前記芯材（５５）は、発泡プラスチックからなり、底部及び両側部の境目に折り目（５３）を付けたものであり、底部の幅は少なくとも３ｃｍある
ことを特徴とする小型かばん。
【請求項２】
前記芯材（５５）がゴム・プラスチック硬度計（デュロメータ）における硬度６０−８０度のものである請求項１記載の小型かばん。
【請求項３】
前記発泡プラスチックが発泡ＥＶＡである請求項１又は２記載の小型かばん。
【請求項４】
前記１枚の材料（５）は、前記芯材（５５）に表面生地（５４）及び裏面生地（５６）を貼り付けて３層としたものである請求項１〜３記載の小型かばん。
【考案の詳細な説明】
【技術分野】
【０００１】
本考案は、ポーチ、ペンケース等の、デスク上に置くことの多い小型かばんに関する。特に底部及び前後側部が１枚の材料から形成されている小型かばんに関する。
【背景技術】
【０００２】
上記タイプのかばんをデスク上に置いたとき、かばん底部を下にして立ち上がることができるようにかばん底部が幅広に形成されていることが多い。実開昭６３−１９９６１４号がそのような構成を示している。この従来例では、開閉用スライドファスナが上端部のみに設けられているため、開閉部を開けたままにしても倒れることはない。しかし、開閉用スライドファスナが上端部のみならず、左右側部にも延びているタイプ、例えば実公昭３８−５３６号では、開閉部を開けたままにすると、安定が悪くなり、倒れてしまうことが多い。
【考案の概要】
【考案が解決しようとする課題】
【０００３】
本考案は、かばん底部を下にして立ち上がり、開閉部を開けたままにしても倒れることのない、安定した小型かばんを提供することを目的とする。
【課題を解決するための手段】
【０００４】
請求項１の本考案は、ポーチ、ペンケース等の小型かばんであって、底部及び前後側部が１枚の材料から形成されると共に、開閉部が上端部のみならず、左右側部にも延びているタイプのものにおいて、前記１枚の材料は少なくとも１層の芯材を有し、前記芯材は、発泡プラスチックからなり、底部及び両側部の境目に折り目を付けたものであり、底部の幅は少なくとも３ｃｍあることを特徴とする。
【０００５】
請求項２の本考案は、請求項１のかばんにおいて、前記芯材がゴム・プラスチック硬度計（デュロメータ）における硬度６０−８０度のものである。
【０００６】
請求項３の本考案は、請求項１又は２のかばんにおいて、前記発泡プラスチックが発泡ＥＶＡであるものである。
【０００７】
請求項４の本考案は、請求項１〜３のかばんにおいて、前記芯材に表面生地及び裏面生地を貼り付けて３層としたものである。
【考案の効果】
【０００８】
本考案請求項１によれば、かばん底部を下にして立ち上がり、開閉部を締めた状態はもちろん、開閉部を完全に開けた状態でも、特に力を加えなければ倒れることはない。このようなかばんは、中身がよく見えると共に取り出しやすいので非常に便利である。
【０００９】
本考案請求項２及び３によれば、最も倒れにくい条件が満たされる。
【００１０】
本考案請求項４によれば、表面生地及び裏面生地を貼り付けることにより、美しい外観や汚れにくい内部が得られる。
【図面の簡単な説明】
【００１１】
【図１】本考案の小型かばんの斜視図であり、開閉部を閉鎖している状態を示す。
【図２】本考案の小型かばんの斜視図であり、開閉部を開放している状態を示す。
【図３】（ａ）かばんの底部及び両側部を構成する１枚の材料の展開底面図である。（ｂ）同展開平面図である。
【図４】図３の４−４断面図である。
【図５】かばん製作の一過程であり、両側部を立ち上げた状態の斜視図である。
【考案を実施するための形態】
【００１２】
以下、添付の図面に基づき、ポーチを例にして本考案の実施態様を説明する。
【実施例１】
【００１３】
このポーチ１は、図１、図２に示すように、開閉部を締めた状態はもちろん、開閉部を完全に開けた状態でも、ポーチ底部を下にして立ち上がり、特に力を加えなければ倒れることはない。このポーチのサイズは、底部幅５ｃｍ、前後側面の幅２０ｃｍ、高さ１０ｃｍである。
【００１４】
このポーチ１は、底部２及び前後側部３，４が１枚の材料５から形成されると共に開閉部６が上端部のみならず、左右側部７，８にも延びている。開閉部６はスライドファスナであり、その周辺には前後側部とは別の生地の補助布９が取り付けられている。
【００１５】
底部２及び前後側部３，４を構成する１枚の材料５は、図３に示すように、ほぼ四角形の平板５１であるが、縁部５２がやや隆起している。底部と前後側部の境目となる部分には折り目５３が形成されている。この折り目は、１枚の材料５に対して熱と圧力を加えることにより、形成される。
【００１６】
図４に示すように、この材料５は３層からなり、表面５４はポリウレタンの生地であり、中央の芯材５５は発泡プラスチック（例えば発泡ＥＶＡ）からなり、裏面５６はポリエステル等の生地からなる。芯材５５は、ゴム・プラスチック硬度計（デュロメータ）における硬度６０−８０度が好ましく、より好ましくは６５−７５度、最も好ましくは約７０度である。
【００１７】
このポーチ１を製作するには、図５のように前後側板を立ち上げた状態で前記補助布９及び開閉部６のスライドファスナを取り付ければよい。
【符号の説明】
【００１８】
１     ポーチ
２     底部
３，４ 前後側部
５     １枚の材料
５１   平板
５２   縁部
５３   折り目
５４   表面
５５   芯材
５６   裏面
６     開閉部
７，８ 左右側部
９     補助布
【先行技術文献】
【特許文献】
【００１９】
【特許文献１】実開昭６３−１９９６１４号
【特許文献２】実公昭３８−５３６号
【図１】
0003153153.tif 000003
【図２】
0003153153.tif 000004
【図３】
0003153153.tif 000005
【図４】
0003153153.tif 000006
【図５】
0003153153.tif 000007
【手続補正書】
【提出日】平成21年6月24日(2009.6.24)
【手続補正１】
【補正対象書類名】実用新案登録請求の範囲
【補正対象項目名】全文
【補正方法】変更
【補正の内容】
【実用新案登録請求の範囲】
【請求項１】
ポーチ、ペンケース等の小型かばん（１）であって、底部（２）及び前後側部（３，４）が１枚の材料（５）から形成されると共に、開閉部（６）が上端部のみならず、左右側部（７，８）にも延びているタイプのものにおいて、
前記１枚の材料（５）は少なくとも１層の芯材（５５）を有し、
前記芯材（５５）は、発泡プラスチックからなり、底部及び両側部の境目に折り目（５３）を付けたものであり、底部の幅は少なくとも３ｃｍある
ことを特徴とする小型かばん。
【請求項２】
前記芯材（５５）がゴム・プラスチック硬度計（デュロメータ）における硬度６０−８０度のものである請求項１記載の小型かばん。
【請求項３】
前記発泡プラスチックが発泡ＥＶＡである請求項１又は２記載の小型かばん。
【請求項４】
前記１枚の材料（５）は、前記芯材（５５）に表面生地（５４）及び裏面生地（５６）を貼り付けて３層としたものである請求項１〜３のいずれか１項に記載の小型かばん。